(57)【要約】【課題】外部電源へと伝播するノイズを確実に抑制する。【解決手段】端子台本体（61）は、基板用アース線（L14）の一端が基板側アース端子（63g）にて電装品箱（50）と連結され、アース用配線（L24）の一端が外部側アース端子（63h）にて電装品箱（50）と連結されるように構成されている。端子台本体（61）は、複数の電源用端子（63d,63e,63f）よりも外部電源（90）側且つ外部側アース端子（63h）よりもアース用配線（L24）の他端側の位置で、ノイズ低減部材（66）を支持している。【選択図】図７
2015117906.tif 000002
【特許請求の範囲】
【請求項１】
空気調和機におけるアクチュエータ（31a）の制御基板（P1）から延びる複数の基板用配線（L11,L12,L13,L14）を、外部電源（90）から延びる複数の電源用配線（L21,L22,L23）と電気的に繋ぐ端子台（60）であって、
上記複数の電源用配線（L21,L22,L23）それぞれが接続される複数の電源用端子（63d,63e,63f）と、
上記複数の電源用配線（L21,L22,L23）及び外部からのアース用配線（L24）の貫通孔（66a）が形成され、磁性体から成るノイズ低減部材（66）と、
上記複数の電源用端子（63d,63e,63f）及び上記ノイズ低減部材（66）を支持し、上記制御基板（P1）を収納する導電性の筐体（50）に取り付けられ、上記アース用配線（L24）の上記筐体（50）への取り付け領域（64a）を有する端子台本体（61）と、
を備え、
上記端子台本体（61）は、
上記複数の基板用配線（L11,L12,L13,L14）における基板用アース線（L14）が上記筐体（50）と連結されるように構成されると共に、上記取り付け領域（64a）にて上記アース用配線（L24）の一端が上記筐体（50）と連結されるように構成されており、
上記複数の電源用端子（63d,63e,63f）よりも上記外部電源（90）側且つ上記アース用配線（L24）と上記筐体（50）との連結位置よりも上記アース用配線（L24）の他端側の位置で、上記ノイズ低減部材（66）を支持していることを特徴とする端子台。
【請求項２】
請求項１において、
上記複数の電源用配線（L21,L22,L23）及び上記アース用配線（L24）全てが、１つの上記貫通孔（66a）を貫通することを特徴とする端子台。
【請求項３】
請求項１または請求項２に記載の端子台（60）と、
上記アクチュエータである圧縮機用モータ（31a）を含む圧縮機（31）と、
上記圧縮機用モータ（31a）をインバータ駆動するインバータ回路（56）、が実装された上記制御基板（P1）と、
を備え、
上記ノイズ低減部材（66）は、上記インバータ回路（56）から発生するノイズを低減することを特徴とする空気調和機。
【請求項４】
請求項３において、
上記筐体（50）は、上記圧縮機（31）を収納する空気調和機本体（11）の内部において、該空気調和機本体（11）に接触して配設された電装品箱（50）、であることを特徴とする空気調和機。
【発明の詳細な説明】
【技術分野】
【０００１】
本発明は、外部電源からの電源用配線を制御基板から延びる基板用配線と電気的に繋ぐ端子台及びこれを備えた空気調和機において、外部電源へと伝播する電磁ノイズの抑制に関するものである。
【背景技術】
【０００２】
空気調和機には、圧縮機、制御基板及び端子台が備えられている。制御基板は、圧縮機に含まれるモータと電気的に接続され、モータ駆動用回路等が実装されている。端子台は、外部電源から延びる電源用配線と制御基板から延びる基板用配線とを電気的に接続する。
【０００３】
モータ駆動用回路には、インバータ回路のように電磁ノイズのノイズ源となるものが含まれている。これに対し、特許文献１及び特許文献２に示すように、圧縮機と制御基板との間の接続配線や基板用配線にノイズ抑制部材を取り付ける技術が知られている。
【先行技術文献】
【特許文献】
【０００４】
【特許文献１】特開２０１０−２３９７５５号公報
【特許文献２】特開２０１１−２３１９６４号公報
【発明の概要】
【発明が解決しようとする課題】
【０００５】
電磁ノイズの伝播経路には、基板用配線を介して外部電源側へと伝播する経路の他、端子台が取り付けられアース電位を保持する筐体を介して外部電源側へと伝播する経路が存在する。当該筐体としては、例えば制御基板を収納する電装品箱が挙げられる。
【０００６】
特許文献１及び特許文献２では、基板用配線を介して伝播する電磁ノイズを抑制できても、筐体を介して伝播する電磁ノイズをも抑制することは困難である。
【０００７】
本発明は、かかる点に鑑みてなされたものであり、その目的は、外部電源側へと伝播する電磁ノイズを確実に抑制することである。
【課題を解決するための手段】
【０００８】
第１の発明は、空気調和機におけるアクチュエータ（31a）の制御基板（P1）から延びる複数の基板用配線（L11,L12,L13,L14）を、外部電源（90）から延びる複数の電源用配線（L21,L22,L23）と電気的に繋ぐ端子台（60）が対象である。端子台（60）は、上記複数の電源用配線（L21,L22,L23）それぞれが接続される複数の電源用端子（63d,63e,63f）と、上記複数の電源用配線（L21,L22,L23）及び外部からのアース用配線（L24）の貫通孔（66a）が形成され、磁性体から成るノイズ低減部材（66）と、上記複数の電源用端子（63d,63e,63f）及び上記ノイズ低減部材（66）を支持し、上記制御基板（P1）を収納する導電性の筐体（50）に取り付けられ、上記アース用配線（L24）の上記筐体（50）への取り付け領域（64a）を有する端子台本体（61）と、を備える。上記端子台本体（61）は、上記複数の基板用配線（L11,L12,L13,L14）における基板用アース線（L14）が上記筐体（50）と連結されるように構成されると共に、上記取り付け領域（64a）にて上記アース用配線（L24）の一端が上記筐体（50）と連結されるように構成されており、上記複数の電源用端子（63d,63e,63f）よりも上記外部電源（90）側且つ上記アース用配線（L24）と上記筐体（50）との連結位置よりも上記アース用配線（L24）の他端側の位置で、上記ノイズ低減部材（66）を支持していることを特徴とする。
【０００９】
基板用アース線（L14）及びアース用配線（L24）が導電性の筐体（50）と連結されているため、筐体（50）はアース電位となり、電磁ノイズは、基板用アース線（L14）だけではなく筐体（50）も伝播する。しかしここでは、ノイズ低減部材（66）が、複数の電源用端子（63d,63e,63f）よりも外部電源（90）側且つアース用配線（L24）と筐体（50）との連結位置よりもアース用配線（L24）の他端側に位置している。そのため、ノイズ低減部材（66）は、基板用配線（L11,L12,L13,L14）から外部電源（90）側へと伝播する電磁ノイズに加え、筐体（50）を介して外部電源（90）側へと伝播する電磁ノイズも低減できる。従って、外部電源（90）側へと伝播する電磁ノイズを確実に抑制できる。
【００１０】
第２の発明は、第１の発明において、上記複数の電源用配線（L21,L22,L23）及び上記アース用配線（L24）全てが、１つの上記貫通孔（66a）を貫通することを特徴とする。
【００１１】
これにより、ノイズ低減部材（66）は磁気飽和しにくくなるため、ノイズ低減部材（66）のノイズ低減能力は維持される。
【００１２】
第３の発明は、請求項１または請求項２に記載の端子台（60）と、上記アクチュエータである圧縮機用モータ（31a）を含む圧縮機（31）と、上記圧縮機用モータ（31a）をインバータ駆動するインバータ回路（56）、が実装された上記制御基板（P1）と、を備える空気調和機を対象とする。上記ノイズ低減部材（66）は、上記インバータ回路（56）から発生する電磁ノイズを低減することを特徴とする。
【００１３】
これにより、インバータ回路（56）から発生した電磁ノイズは、ノイズ低減部材（66）によって確実に抑制される。
【００１４】
第４の発明は、第３の発明において、上記筐体（50）は、上記圧縮機（31）を収納する空気調和機本体（11）の内部において、該空気調和機本体（11）に接触して配設された電装品箱（50）、であることを特徴とする。
【発明の効果】
【００１５】
本発明によれば、外部電源（90）側へと伝播する電磁ノイズを確実に抑制できる。
【００１６】
また、上記第２の発明によれば、ノイズ低減部材（66）のノイズ低減能力は維持される。
【００１７】
また、上記第３の発明及び上記第４の発明によれば、インバータ回路（56）から発生した電磁ノイズは、ノイズ低減部材（66）によって確実に抑制される。
【図面の簡単な説明】
【００１８】
【図１】図１は、空気調和機における室外ユニットの外観斜視図である。
【図２】図２は、図１の室外ユニット内部を、右側面側から見た場合の図である。
【図３】図３は、電装品箱の蓋部材と箱本体の内部とを表した図である。
【図４】図４は、電装品箱の仕切部材と、仕切部材を取り外した箱本体の内部とを表した図である。
【図５】図５は、圧縮機、第１制御基板及び端子台の接続状態を模式的に示す図であって、特に圧縮機の駆動に関する部分を表している。
【図６】図６は、各種配線が接続されていない状態の端子台の外観図である。
【図７】図７は、各種配線が接続された状態の端子台の外観図である。
【図８】図８は、図７の端子台を上から見た場合の図を（Ａ）、図７の端子台を外部電源側から見た場合の図を（Ｂ）として表している。
【図９】図９は、図８（Ａ）のＩＸ−ＩＸ線における端子台の断面図である。
【発明を実施するための形態】
【００１９】
以下、本発明の実施形態を図面に基づいて詳細に説明する。なお、以下の実施形態は、本質的に好ましい例示であって、本発明、その適用物、あるいはその用途の範囲を制限することを意図するものではない。
≪実施形態≫
＜空気調和機の構成＞
図１は、空気調和機の室外ユニット（10）の外観図である。図２は、図１の室外ユニット（10）内部を、右側面側から見た場合の図である。
【００２０】
室外ユニット（10）は、建物の天井等に設置された複数の室内ユニット（図示せず）と冷媒配管（図示せず）を介して接続されており、複数の室内ユニットと共に空気調和機を構成している。室外ユニット（10）は、建物の屋外に設置されている。
【００２１】
室外ユニット（10）は、空気を側面から吸い込んで熱交換した後、天面から吹き出す。主として、室外ユニット（10）は、ケーシング（11）（空気調和機本体に相当）、熱交換器（30）、圧縮機（31,32,33）、ファン（41,42）、電装品箱（50）、及び図３に示す端子台（60）を備える。
【００２２】
なお、以下では、説明の便宜上、「上」「下」「左」「右」「正面」「背面」「天面」等の各方向を表す表現を適宜用いている。これらの表現は、図１に示されるように室外ユニット（10）が設置されている状態での各方向を表している。
【００２３】
−ケーシング−
ケーシング（11）は、略直方体の形状を有しており、熱交換器（30）、圧縮機（31,32,33）、ファン（41,42）、電装品箱（50）及び端子台（60）等を収納している。具体的に、ケーシング（11）は、正面板（12）、左側面板（13）、背面板（14）、右側面板（15）、天面板（16）及び底面板（17）によって構成されている。
【００２４】
左側面板（13）及び右側面板（15）には、屋外の空気の吸込口（11a）が複数形成されている。背面板（14）は、格子状のグリルで構成されており、屋外の空気は、背面板（14）からもケーシング（11）内に吸い込まれる。
【００２５】
天面板（16）には、円形の孔が２つ形成されている。この孔は、ベルマウス（18）と共に熱交換後の空気の吹出口（11b）を形成している。天面板（16）には、各吹出口（11b）を覆うようにして、格子状のファンカバー（図示せず）が取り付けられている。
【００２６】
正面板（12）は、５つの板（12a,12b,12c,12d,12e）が組み合わさることで構成されている。具体的に、正面板（12）は、天面板（16）の下側に配置された上部正面板（12a）、上部正面板（12a）の下側かつ左側に配置された左側中部正面板（12b）、左側中部正面板（12b）の下側に配置された左側下部正面板（12c）、上部正面板（12a）の下側かつ右側に配置された右側中部正面板（12d）、及び右側中部正面板（12d）の下側に配置された右側下部正面板（12e）によって構成される。
【００２７】
正面板（12）の裏面には、水平方向に延びる２本のステー（21,22）が、互いに所定間隔あけて取り付けられている。ステー（21）は、左側中部正面板（12b）及び右側中部正面板（12d）と左側下部正面板（12c）及び右側下部正面板（12e）とのつなぎ目に位置している。ステー（22）は、上部正面板（12a）と左側中部正面板（12b）及び右側中部正面板（12d）とのつなぎ目に位置している。
【００２８】
底面板（17）上には、熱交換器（30）及び圧縮機（31,32,33）等が据え付けられている。
【００２９】
−熱交換器−
熱交換器（30）は、上から見た場合に略U字の形状を有しており、左側面板（13）、背面板（14）及び右側面板（15）に対向するように配置されている。熱交換器（30）は、内部を冷媒が通る配管と複数の伝熱フィンとで形成されており、冷媒とケーシング（11）内に吸い込まれた空気との間で熱交換を行う。
【００３０】
−圧縮機−
圧縮機（31,32,33）は、冷媒を圧縮する機構であって、１台の容量可変タイプの圧縮機（31）及び２台の定容量タイプの圧縮機（32,33）で構成されている。各圧縮機（31,32,33）のケーシング内には、駆動源である圧縮機用モータが設けられている。特に、図５に示すように、容量可変タイプの圧縮機（31）の圧縮機用モータ（31a）（アクチュエータに相当）は、後述する第１制御基板（P1）からの信号に基づいて回転数制御される。
【００３１】
−ファン−
ファン（41,42）は、ケーシング（11）の天面板（16）に設けられた２つの吹出口（11b）それぞれに対応するようにして、ケーシング（11）内部において吹出口（11b）付近に２つ設けられている。ファン（41,42）は、プロペラファンであって、複数のプロペラ翼（41a,42a）を有する。複数のプロペラ翼（41a,42a）の内周部は、ハブ（41b,42b）を介してファン用モータ（41c,42c）に連結されている。
【００３２】
ファン用モータ（41c,42c）は、ファン（41,42）の駆動源であって、第１制御基板（P1）からの信号に基づいて回転駆動する。
【００３３】
ファン（41,42）が駆動すると、ケーシング（11）内部には、吸込口（11a）等から熱交換器（30）を介して吹出口（11b）へと向かう空気流が生成される。
【００３４】
−電装品箱及び端子台−
電装品箱（50）は、ケーシング（11）内部のうち右側中部正面板（12d）の裏で、ステー（21,22）に支持されるようにして取り付けられている。即ち、電装品箱（50）は、ケーシング（11）に接触して配設された筐体である。右側中部正面板（12d）を取り外すことによって室外ユニット（10）の正面側には電装品箱（50）が露出するため、電装品箱（50）のメンテナンスは簡単に行われる。
【００３５】
図３及び図４に示すように、電装品箱（50）は、各種制御基板（P1,P2）及び端子台（60）を収納しており、アルミニウム等の導電性の材質によって形成されている。図２〜４に示すように、電装品箱（50）は、箱本体（51）、蓋部材（52）及び仕切部材（53）を有する。
【００３６】
ここで、図３は、蓋部材（52）と箱本体（51）の内部とを表している。図４は、仕切部材（53）と、仕切部材（53）を取り外した箱本体（51）の内部とを表している。
【００３７】
箱本体（51）は、ケーシング（11）の正面板（12）側の面が開口した直方体の形状を有している。蓋部材（52）は、矩形状の板状部材であって、箱本体（51）の開口を覆うように配置される。即ち、蓋部材（52）は、図２に示すように正面板（12）と対峙する。仕切部材（53）は、図３及び図４に示すように、箱本体（51）の内部空間を、正面板（12）側の空間と背面板（14）側の空間とに分割する。また、仕切部材（53）自体は、上下に２分割されており、上部仕切部材（53a）及び下部仕切部材（53b）で構成されている。
【００３８】
箱本体（51）における背面板（14）側の空間には、第１制御基板（P1）（制御基板に相当）が配置されている。図４及び図５に示すように、第１制御基板（P1）には、例えば商用電源である外部電源（90）からの交流を直流に変換するコンバータ回路（54）、直流電圧を生成するスイッチング電源回路（55）、圧縮機（31）をインバータ駆動させる圧縮機用インバータ回路（56）（インバータ回路に相当）、各ファン（41,42）をインバータ駆動させるファン用インバータ回路（57）等が実装されている。各種回路（55,56,57）の実装位置に対応する箱本体（51）の裏側には、図２に示すように、電装品箱（50）内部で発生した熱を外部に放出するための放熱フィン（59a,59b,59c）が取り付けられている。これら各種回路（55,56,57）には、発熱部品であるパワー素子が複数含まれているためである。
【００３９】
ここで、図５は、圧縮機（31）、第１制御基板（P1）及び端子台（60）の接続状態を模式的に示す図であって、特に圧縮機（31）の駆動に関する部分を表している。
【００４０】
図３及び図４に示すように、箱本体（51）における正面板（12）側の空間には、第２制御基板（P2）及び端子台（60）が配置されている。第２制御基板（P2）は、上部仕切部材（53a）に取り付けられており、図５に示すように、各種回路（55,56,57）を統括して制御する統括制御回路（58）が実装されている。
【００４１】
なお、第１制御基板（P1）及び第２制御基板（P2）は互いに接続されており、各制御基板（P1,P2）の間では、直流電圧の統括制御回路（58）への供給、統括制御回路（58）による制御指令の各種回路（55,56,57）への出力等が行われる。圧縮機用インバータ回路（56）は、配線（L1）を介して圧縮機（31）と接続されている。図示していないが、ファン用インバータ回路（57）も各ファン（41,42）と接続されている。
【００４２】
端子台（60）は、図３に示すように、下部仕切部材（53b）のうち蓋部材（52）側に取り付けられている。図５に示すように、端子台（60）は、第１制御基板（P1）から延びる複数の基板用配線（L11,L12,L13,L14）を、外部電源（90）から延びる複数の電源用配線（L21,L22,L23）と電気的に繋ぐためのものである。また、端子台（60）は、基板用配線（L11,L12,L13,L14）に含まれる基板用アース線（L14）と外部からのアース用配線（L24）とを、下部仕切部材（53b）を介して電気的に接続するための構造も有する。
【００４３】
なお、以下では、外部電源（90）が３相電源である場合を例に採る。電源用配線（L21,L22,L23）は、外部電源（90）の各相に対応している。アース用配線（L24）の一端は、ケーシング（11）外部にてアースされている。基板用配線（L11,L12,L13,L14）のうち、基板用アース線（L14）を除く３本の配線（L11,L12,L13）は、外部電源（90）からの交流の供給用の配線である。
【００４４】
＜端子台の詳細構成＞
端子台（60）の構成について、図５〜図９を用いて詳述する。図６は、各種配線が接続されていない状態の端子台（60）の外観図である。図７は、各種配線が接続された状態の端子台（60）の外観図である。図８の（Ａ）は、図７の端子台（60）を上から見た場合の図であり、（Ｂ）は、図７の端子台（60）を外部電源（90）側から見た場合の図である。図９は、図８の（Ａ）のＩＸ−ＩＸ線における端子台（60）の断面図である。
【００４５】
端子台（60）は、主として、１つの樹脂製の端子台本体（61）、複数の導電板（62）、複数の基板用端子（63a,63b,63c）、複数の電源用端子（63d,63e,63f）、及び１つのノイズ低減部材（66）を備える。
【００４６】
端子台本体（61）は、導電板（62）、基板用端子（63a,63b,63c）、電源用端子（63d,63e,63f）及びノイズ低減部材（66）を支持する。端子台本体（61）は、図７及び図９に示すように、電装品箱（50）の下部仕切部材（53b）に取り付けられ、図６に示すように、ベース部材（61a）、複数の縦区画壁（61b）及び複数の横区画壁（61c）で構成される。ベース部材（61a）は、下部仕切部材（53b）に接触する板状部材である。複数の横区画壁（61c）は、ベース部材（61a）に対して略垂直に立設され、１つの縦区画壁（61b）を挟んで互いに所定間隔離れている。複数の縦区画壁（61b）及び複数の横区画壁（61c）により、複数の区画（64）が形成されている。
【００４７】
各導電板（62）は、各電源用配線（L21,L22,L23）とこれに対応する基板用配線（L11,L12,L13）とを接続するための導電性部材である。図６〜図８（Ａ）に示すように、各導電板（62）は、電源用配線（L21,L22,L23）の端部が位置する各区画（64）から基板用配線（L11,L12,L13）の端部が位置する各区画（64）まで、縦区画壁（61b）の下部を通って延びるようにして配置されている。各導電板（62）の両端部には、螺子止め用の孔（62a）が形成されている（図９参照）。
【００４８】
基板用端子（63a,63b,63c）では、基板用配線（L11,L12,L13）の端部が位置する各区画（64）において、当該端部が接続される。電源用端子（63d,63e,63f）では、電源用配線（L21,L22,L23）の端部が位置する各区画（64）において、当該端部が接続される。具体的に、基板用端子（63a,63b,63c）及び電源用端子（63d,63e,63f）では、各配線（L11,L12,L13，L21,L22,L23）の端部が金属製の螺子によって導電板（62）の孔（62a）に螺子止めされる。これにより、互いに対応する基板用配線（L11,L12,L13）及び電源用配線（L21,L22,L23）は、導電板（62）を介して導通するようになる。
【００４９】
一方、アース用配線（L24）及び基板用アース線（L14）の各端部が位置する区画（64）である取り付け領域（64a）では、ベース部材（61a）が存在していない。この取り付け領域（64a）では、アース用配線（L24）及び基板用アース線（L14）の各端部が、導電板（62）及び端子台本体（61）を介さずに、金属製の螺子によって電装品箱（50）に直接連結される。これにより、基板用アース線（L14）及びアース用配線（L24）は、電装品箱（50）の下部仕切部材（53b）を介して導通し、電装品箱（50）は、アース電位に保たれる。
【００５０】
なお、以下では、基板用アース線（L14）と電装品箱（50）との連結位置を“基板側アース端子（63g）”、アース用配線（L24）と電装品箱（50）との連結位置を“外部側アース端子（63h）”と言う。
【００５１】
ノイズ低減部材（66）は、フェライトコア等の磁性体で構成されている。ノイズ低減部材（66）は、図７及び図８（Ａ）に示すように、電源用端子（63d,63e,63f）よりも外部電源（90）側且つ外部側アース端子（63h）よりもアース用配線（L24）の他端側の位置で、端子台本体（61）に支持されている。アース用配線（L24）の他端とは、電装品箱（50）と連結されていないアース用配線（L24）の端部であって、例えば大地に接続されている。
【００５２】
また、図６〜８に示すように、ノイズ低減部材（66）には、電源用配線（L21,L22,L23）及びアース用配線（L24）全てが貫通するための、１つの貫通孔（66a）が形成されている。これにより、ノイズ低減部材（66）には、各配線（L21,L22,L23,L24）を流れる電流に応じた磁束のループが生じ、電磁ノイズを抑制できるようになる。
【００５３】
仮に、各配線（L21,L22,L23,L24）が別々の貫通孔を通過する構成であると、各配線（L21,L22,L23,L24）を流れる電流によってノイズ低減部材（66）は磁気飽和を起こし、ノイズ抑制効果の低下が生じてしまう。しかし、本実施形態では、１つの貫通孔（66a）を貫通している電源用配線（L21,L22,L23）とアース用配線（L24）とでは電流の流れる方向が互いに逆であるため、当該電流により生じる磁束は互いに打ち消し合い、ノイズ低減部材（66）は磁気飽和しにくくなる。
【００５４】
次に、電磁ノイズの伝播経路について説明する。
【００５５】
電磁ノイズのノイズ源としては、スイッチング電源回路（55）及び各種インバータ回路（56,57）が挙げられる。これらの回路（55,56,57）に含まれるパワー素子がオン及びオフを繰り返すことで、電磁ノイズが生成されるためである。
【００５６】
具体的に、上記ノイズ源のパワー素子がスイッチングを行うと、基準電位であるアース（大地）電位に対して室外ユニット（10）全体の電位が変動する。この時、上記ノイズ源で発生した電磁ノイズが、基板用配線（L11,L12,L13,L14）及び端子台（60）を介して電源用配線（L21,L22,L23）に伝播しようとするのみならず、電装品箱（50）や導電性のケーシング（11）を介してアース用配線（L24）に伝播しようとする。電装品箱（50）が、基板側アース端子（63g）及び外部側アース端子（63h）それぞれを介して基板用アース線（L14）及びアース用配線（L24）と接続されていることから、電装品箱（50）及びケーシング（11）がアース電位に保持されているためである。すると、電源用配線（L21,L22,L23）及びアース用配線（L24）全てには、同相の電磁ノイズによるノイズ電流が外部電源（90）に向かう方向に流れ、これらの配線（L21,L22,L23,L24）がアンテナとなって輻射ノイズが発生する。
【００５７】
これに対し、ノイズ低減部材（66）は、図７及び図８（A）に示すように、電源用端子（63d,63e,63f）よりも外部電源（90）側、且つ外部側アース端子（63h）よりもアース用配線（L24）の他端側にて、端子台本体（61）に支持されている。これにより、ノイズ低減部材（66）には、基板用配線（L11,L12,L13,L14）を伝播する電磁ノイズに伴うノイズ電流に加え、電装品箱（50）やケーシング（11）を伝播する電磁ノイズに伴うノイズ電流が、互いに同じ向き（具体的には、外部電源（90）に向かう方向）に流れる。即ち、ノイズ低減部材（66）は、基板用配線（L11,L12,L13,L14）からの電磁ノイズ及び電装品箱（50）等からの電磁ノイズの両方が通過する伝播経路上に位置していると言える。従って、ノイズ低減部材（66）は、インピーダンスを有するようになり、電磁ノイズの低減効果を発揮する。
【００５８】
＜実施形態の効果＞
本実施形態に係る端子台（60）のノイズ低減部材（66）は、電源用端子（63d,63e,63f）よりも外部電源（90）側且つ外部側アース端子（63h）よりもアース用配線（L24）の他端側に位置している。そのため、基板用配線（L11,L12,L13,L14）を介して外部電源（90）側へと伝播する電磁ノイズのみならず、電装品箱（50）やケーシング（11）を介して外部電源（90）側へと伝播する電磁ノイズを低減することができる。従って、ノイズ源である各種回路（55,56,57）から発生する電磁ノイズを確実に抑制できる。
【００５９】
また、電源用配線（L21,L22,L23）及びアース用配線（L24）全てが、ノイズ低減部材（66）の１つの貫通孔（66a）に通されている。これにより、ノイズ低減部材（66）は磁気飽和しにくくなるため、ノイズ低減部材（66）のノイズ低減能力は維持される。
≪その他の実施形態≫
上記実施形態については、以下のような構成としてもよい。
【００６０】
端子台（60）は、電装品箱（50）に代えて、室外ユニット（10）のケーシング（11）または室内ユニットのケーシングに取り付けられていてもよい。
【００６１】
また、アース用配線（L24）は、電装品箱（50）に直接連結されているのではなく、端子台本体（61）を介して電装品箱（50）に連結されていてもよい。この場合、端子台本体（61）は、外部側アース端子（63h）を更に支持する。また、端子台本体（61）は、基板側アース端子（63g）を支持してもよい。
【００６２】
また、貫通孔（66a）の数は、１つではなく複数であってもよい。ノイズ低減部材（66）に複数の貫通孔（66a）が形成されている場合、各貫通孔（66a）に、各種配線（L21,L22,L23,L24）が１本ずつ通されていても良いし、１つの貫通孔（66a）に各種配線（L21,L22,L23,L24）が複数本ずつ通されていても良い。１つの貫通孔（66a）に各種配線（L21,L22,L23,L24）を何本通すかは、例えば各種配線（L21,L22,L23,L24）を通過する電流量及びノイズ低減部材（66）の最大磁束密度に応じて決定されることができる。
【００６３】
また、ノイズ低減部材（66）は、フェライト以外の磁性体で構成されていてもよい。
【産業上の利用可能性】
【００６４】
以上説明したように、本発明は、空気調和機において、第１制御基板（P1）から延びる基板用配線（L11,L12,L13,L14）と外部電源（90）から延びる電源用配線（L21,L22,L23）とを電気的に繋ぐための端子台（60）について有用である。
【符号の説明】
【００６５】
11  ケーシング（空気調和機本体）
31  圧縮機
31a  圧縮機用モータ（アクチュエータ）
50  電装品箱（筐体）
56  圧縮機用インバータ回路（インバータ回路）
60  端子台
61  端子台本体
63d,63e,63f  電源用端子
64a  取り付け領域
66  ノイズ低減部材
66a  貫通孔
90  外部電源
P1  第１制御基板（制御基板）
L11,L12,L13,L14  基板用配線
L14  基板用アース線
L21,L22,L23  電源用配線
L24  アース用配線
【図１】
2015117906.tif 000003
【図２】
2015117906.tif 000004
【図３】
2015117906.tif 000005
【図４】
2015117906.tif 000006
【図５】
2015117906.tif 000007
【図６】
2015117906.tif 000008
【図７】
2015117906.tif 000009
【図８】
2015117906.tif 000010
【図９】
2015117906.tif 000011